(57)【特許請求の範囲】
【請求項１】
施設内でタグ番号が付与された電子タグを入場者に発行するタグ発行手段と、
該施設内の予め決めた場所に配置され、該電子タグを所持した入場者の写真撮影をする撮影手段と、
該撮影手段の近傍に設けられ、所定領域内に存在する該電子タグを監視して、該電子タグのタグ番号を検知するタグセンサと、
該タグセンサによるタグ番号の検知を受けて、当該タグセンサが近傍に設けられている該撮影手段を作動させる撮影制御手段と、
夫々の該撮影手段で撮影した写真情報を当該タグ番号と関連付けて保存するデータベースと、
該データベースに保存された該写真情報を該タグ番号毎に読み出すデータ読み出し手段と
を備えたことを特徴とする娯楽施設のサービスシステム。
【請求項２】
請求項１において、
前記撮影制御手段は、前記タグセンサが前記電子タグのタグ番号を検知してから所定時間経過後に前記撮像手段を作動させて写真を撮影することを特徴とする娯楽施設のサービスシステム。
【請求項３】
請求項２において、
前記撮影制御手段は、前記タグセンサが前記電子タグのタグ番号を検知した後前記撮影手段を作動させるまでの間、当該電子タグが前記所定領域から出たか、別の前記電子タグが前記所定領域内に入ったかを監視し、当該電子タグが該所定領域内にあり、かつ、別の電子タグが該所定領域内に入らなかった場合に、前記撮影手段を作動させて写真の撮影を行なわせることを特徴とする娯楽施設のサービスシステム。
【請求項４】
請求項３において、
前記タグ番号は、入場日や該入場日での入場順序などの情報からなって、同伴者の前記電子タグには、入場口と入場順序とが等しいタグ番号が付与され、
前記撮影制御手段は、同伴者同士の前記電子タグを同じ電子タグと見なして、前記撮影手段を作動させることを特徴とする娯楽施設のサービスシステム。
【請求項５】
請求項１〜４のいずれか１つにおいて、
前記電子タグのタグ番号を照合して、写真の引換券を提供するチェックアウト手段を有し、
前記タグ番号は、入場日や該入場日の入場順序などの情報からなって、同伴者の前記電子タグには、入場口と入場順序とが等しいタグ番号が付与され、
前記電子タグは、前記タグ発行手段により、前記タグ番号のほかに、前記施設の前記撮影手段によって撮影される写真の受け取り方法、該受取方法が写真情報の端末へのダウンロードであるときの電子メールのアドレス、該受取方法が持ち帰りである場合の写真受取人の氏名，該受取方法が郵送である場合の写真受取人の住所と氏名などの付加情報が書き込まれており、
該チェックアウト手段が、該付加情報に基づいて、前記撮影手段で撮影した写真の提供方法を決めることを特徴とする娯楽施設のサービスシステム。
【請求項６】
請求項１〜５のいずれか１つにおいて、
前記施設の出口ゲートに、前記電子タグを所持した退場者が通るとき、この電子タグを検知して警告音を発生する警告手段を設けたことを特徴とする娯楽施設のサービスシステム。
【請求項７】
請求項１〜６のいずれか１つにおいて、
前記施設内のアトラクション会場やレストランなどの利用設備に対して予約をするための予約手段を有し、
該予約手段は、前記電子タグのタグ番号が提示されることにより、該各利用設備での利用状況や予約状況を提供し、かつ所望とする該利用設備が選択されることによって該タグ番号を登録し、選択された該利用設備での予約を登録した該タグ番号に対して行なうことを特徴とする娯楽施設のサービスシステム。
【請求項８】
請求項７において、
前記予約手段は、選択された前記利用設備の予約可能な時間帯を提示することを特徴とする娯楽施設のサービスシステム。
【請求項９】
請求項１〜８のいずれか１つにおいて、
前記タグ発行手段は、同伴の複数の入場者に発行する前記電子タグに同一タグ番号を付与し、
前記電子タグのタグ番号を読み取って、読み取った該タグ番号の該電子タグの前記施設内での現在位置を示す地図を表示画面に表示する位置検索手段を前記施設内に適宜配置し、
該位置検索手段は、他の位置で配置される該位置検出手段が読み取ったタグ番号の位置情報も受信し、同じタグ番号の複数の電子タグの現在位置を該表示画面で表示される同じ地図上に表示することを特徴とする娯楽施設のサービスシステム。
【請求項１０】
請求項１〜９のいずれか１つにおいて、
前記施設の会員毎に体験したアトラクションや未体験のアトラクションに関する情報を来歴情報として格納したサーバと、
該会員による外部端末からの要求に応じて、該サーバに格納された該会員に該当する該来歴情報を該外部端末に提供する手段と
を設けたことを特徴とする娯楽施設のサービスシステム。
【請求項１１】
請求項１０において、
前記来歴情報は、前記会員による前記施設の過去の利用日や利用回数，利用した設備に関する情報を含むことを特徴とする娯楽施設のサービスシステム。
【発明の詳細な説明】
【０００１】
【発明の属する技術分野】
本発明は、遊園地やテーマパークなどの有料の娯楽施設などに用いて好適なサービスシステムに関する。
【０００２】
【従来の技術】
従来、遊園地やテーマパークといった娯楽施設を利用する場合、その利用者はスチルカメラを持参し、その娯楽施設の場内の風景や催されるアトラクションを撮影したり、記念写真を撮ったりしている。風景やアトラクションを撮影する場合には、撮影者から見た情景を撮影するのであるが、記念写真を撮る場合には、同伴者の一人に撮影を頼んだり、他人にとって貰ったりしている。また、娯楽施設内での劇場アトラクションにおいても、観劇前に記念写真を撮るか、あるいは観劇中では、舞台の情景を撮影するものであった。
【０００３】
【発明が解決しようとする課題】
ところで、大きな娯楽施設の場合、その場内を歩き回ってアトラクションや情景を見ることになるが、その中で記念写真を撮ろうとすると、まず、スチルカメラを持参していなければならないし、また、同伴者の全員を含んだ記念写真を撮るためには、予め三脚を持参するか、全く知らない他人に撮影をお願いしなければならず、非常に不便であるし、また、他人に頼むということもそんなにしょっちゅうできるものではない。このため、同じ背景で複数枚写真を撮るということにもなるし、また、１人の場合には、風景だけの写真となってしまい兼ねない。しかも、写真撮影する場所を探すのも大変な場合もある。
【０００４】
また、アトラクションなどで、例えば、カートなどに乗車してコースに沿って見て廻るような場合には、このカートから見える状況などを撮影できるだけであって、移動しているカートに乗っている利用者の状態や表情などを撮影することができない。このようなものを撮影するためには、このアトラクションに参加しない同伴者にこのコース中のどこかに居て撮影して貰うように頼むしかなく、撮影する場所も限られることになる。催されるパレードなどをみる場合も、同様である。
【０００５】
さらに、娯楽施設内の劇場アトラクション会場内でアトラクションを楽しむ場合などでも、観劇しているときの利用者（即ち、舞台側から見た利用者）を撮影することができない。このような写真が撮れれば、さらに観劇の記念となるものである。
【０００６】
遊園地やテーマパークなどの広い娯楽施設では、一応入場するときに場内の地図が渡されるものであるが、その地図を見ても、利用者の現在位置やレストランなどの設備の位置を認識できるのが容易でない場合もある。また、ようやくレストランを探してそこで食事をしようとしても、混んでいて待ち時間が長く、また、手間をかけて他のレストランを探さなければならないことが往々にしてある。
【０００７】
さらに、娯楽施設を利用する場合、たとえ過去に利用したものであっても、その内容を知るためには、ガイドブックなどの資料を利用しなければならないのが現状である。しかも、かかる資料を利用しても、過去にどのようなアトラクションなどを楽しんだか、記憶に頼らざるを得ない。
【０００８】
また、娯楽施設の利用予約はできないこともないが、その予約をするためには、予約ができる場所まで出歩かなければならず、あるいはまた、インターネットを利用して、出歩かないで予約することができるとしても、単に予約するというだけのものであって、その確認も必要となるし、また、予約した娯楽施設までの経路もガイドブックなどの資料を用いて自分で調べなければならず、非常な手間がかかることになる。
【０００９】
本発明は、かかる問題を解消するためになされたものであって、その第１の目的は、娯楽施設での顧客が選択する場所で写真撮影のサービスを受けることができ、写真撮影の手間を省いて顧客に娯楽施設内での時間を有効に使って貰うことができるようにした娯楽施設のサービスシステムを提供することにある。
【００１０】
本発明の第２の目的は、娯楽施設内でのアトラクションやレストランなどの利用設備の利用予約を簡単にできるようにした娯楽施設のサービスシステムを提供することにある。
【００１１】
本発明の第３の目的は、過去に利用したことがあれば、顧客がそのときの情報を簡単に取得することができ、また、予約申込みや申し込んだ娯楽施設までの経路の取得が容易な娯楽施設のサービスシステムを提供することにある。
【００１２】
【課題を解決するための手段】
上記目的を達成するために、本発明は、施設内でタグ番号が付与された電子タグを入場者に発行するタグ発行手段と、この施設内の予め決めた場所に配置され、電子タグを所持した入場者の写真撮影をする撮影手段と、撮影手段の近傍に設けられ、所定領域内に存在する電子タグを監視して、電子タグのタグ番号を検知するタグセンサと、タグセンサによるタグ番号の検知を受けて、このタグセンサが近傍に設けられている撮影手段を作動させる撮影制御手段と、夫々の撮影手段で撮影した写真情報をこのタグ番号と関連付けて保存するデータベースと、データベースに保存された写真情報をタグ番号毎に読み出すデータ読み出し手段とを備えた構成とするものである。
【００１３】
また、本発明は、撮影制御手段が、タグセンサが電子タグのタグ番号を検知してから所定時間経過後に撮像手段を作動させて写真を撮影するものである。
そして、撮影制御手段は、タグセンサが電子タグのタグ番号を検知した後撮影手段を作動させるまでの間、この電子タグが所定領域から出たか、別の電子タグが所定領域内に入ったかを監視し、この電子タグが所定領域内にあり、かつ、別の電子タグが所定領域内に入らなかった場合に、撮影手段を作動させて写真の撮影を行なわせるものである。
また、タグ番号は、入場日やこの入場日での入場順序などの情報から成って、同伴者の電子タグには、入場口と入場順序とが等しいタグ番号が付与され、撮影制御手段は、同伴者同士の電子タグを同じ電子タグと見なして、撮影手段を作動させるものである。
【００１４】
さらに、本発明は、電子タグのタグ番号を照合して、写真の引換券を提供するチェックアウト手段を有し、タグ番号は、入場日やこの入場日の入場順序などの情報から成って、同伴者の電子タグには、入場口と入場順序とが等しいタグ番号が付与され、電子タグは、上記のタグ発行手段により、タグ番号のほかに、施設の撮影手段によって撮影される写真の受け取り方法や受取方法が写真情報の端末へのダウンロードであるときの電子メールのアドレス、受取方法が持ち帰りである場合の写真受取人の氏名、受取方法が郵送である場合の写真受取人の住所と氏名などの付加情報が書き込まれており、上記チェックアウト手段が、この付加情報に基づいて、撮影手段で撮影した写真の提供方法を決めるものである。
【００１５】
さらに、本発明は、施設の出口ゲートに、電子タグを所持した退場者が通るとき、この電子タグを検知して警告音を発生する警告手段を設けられている。
【００１６】
さらに、本発明は、施設内のアトラクション会場やレストランなどの利用設備に対して予約をするための予約手段を有し、予約手段は、電子タグのタグ番号が提示されることにより、各利用設備での利用状況や予約状況を提供し、かつ所望とする利用設備が選択されることによってタグ番号を登録し、選択された利用設備での予約を登録したタグ番号に対して行なうものである。
【００１７】
さらに、本発明は、予約手段が、選択された利用設備の予約可能な時間帯を提示するものである。
【００１８】
さらに、本発明は、タグ発行手段が、同伴の複数の入場者に発行する電子タグに同一タグ番号を付与し、電子タグのタグ番号を読み取って、読み取ったタグ番号の電子タグの施設内での現在位置を示す地図を表示画面に表示する位置検索手段を施設内に適宜配置し、位置検索手段は、他の位置で配置される位置検出手段が読み取ったタグ番号の位置情報も受信し、同じタグ番号の複数の電子タグの現在位置を表示画面で表示される同じ地図上に表示するものである。
【００１９】
さらに、本発明は、施設の会員毎に体験したアトラクションや未体験のアトラクションに関する情報を来歴情報として格納したサーバと、会員による外部端末からの要求に応じて、サーバに格納されたこの会員に該当する来歴情報を外部端末に提供する手段とを設けたものである。
【００２０】
さらに、本発明は、来歴情報が、会員による施設の過去の利用日や利用回数，利用した設備に関する情報を含むものである。
【００２１】
【発明の実施の形態】
以下、本発明の実施形態を図面を用いて説明する。
図１は本発明による娯楽施設のサービスシステムの一実施形態を示す概略構成図であって、１ａ〜１ｃはデジタルカメラ、２ａ〜２ｃはタグセンサ、３はシャッタ受信機、４は車両位置検出装置、５ａ〜５ｃは写真撮影制御用ＰＣ（パソコン）、６はネットワーク、７はデータ管理サーバ、８は大容量ストレージ、９はデータ長期保存ストリーマ、１０はデータ書き出し用ＰＣ、１１はＣＤ−ＲやＤＶＤ−Ｒ、１２はフラッシュメモリ、１３はプリンタ、１４は電子タグ発券ターミナル、１５はカードリーダ、１６はタグ貸出し口、１７は位置検索ターミナル、１８はタグセンサ、１９はレストラン等予約ターミナル、２０はタグセンサ、２１はチェックアウトターミナル、２２はタグセンサ、２３はレシート印刷部、２４は外部通信網、２５はユーザのＰＣ等、２６はインターネット・サーバ、２７はゲートウェイである。
【００２２】
なお、以下では、娯楽施設として、テーマパークを例に説明するが、他の娯楽施設であっても同様である。
【００２３】
同図において、デジタルカメラ１ａとダグセンサ２ａとシャッタ受信機３とが１組となって、テーマパーク内の予め決められた記念写真を撮る場所毎に設置されている。写真撮影制御用ＰＣ５ａは、タグセンサ２ａの検出出力とシャッタ受信機３の受信出力とに応じてデジタルカメラ１ａを動作させ、これによって記念写真が撮影される。また、デジタルカメラ１ｂとダグセンサ２ｂと車両位置検出装置４とが１組となって、テーマパーク内のライドアトラクションやパレードが行なわれる場所毎及び記念撮影ポイント毎に設置されている。写真撮影制御用のＰＣ５ｂは、タグセンサ２ｂの検出出力と車両位置検出装置４の受信出力とに応じてデジタルカメラ１ｂを動作させ、これによって撮影が行なわれる。さらに、デジタルカメラ１ｃとダグセンサ２ｃとが１組となって、テーマパーク内の劇場内に設置されている。写真撮影制御用のＰＣ５ｃは、タグセンサ２ｃの検出出力に応じてデジタルカメラ１ｃを動作させ、これによって撮影が行なわれる。
【００２４】
このテーマパークに入場するときには、入場者に入場券などが挿入可能なケースに無線送受信装置を設けた電子タグが渡されるが、この電子タグに割り当てられた番号（タグ番号）が、ＩＤ（Idetification）として、送信できるようにしている。図２はこの電子タグの具体例を示すものである。
【００２５】
図２（ａ）〜（ｃ）はその一具体例を示すものであって、同図（ａ）は表面側を、同図（ｂ）は裏面側を、同図（ｃ）は側面を夫々示している。
図２（ａ）〜（ｃ）に示す具体例は、電子タグ３０の表面側に入場券をいれるためのクリアカバー３１が形成されており、また、裏面側にＩＣチップやアンテナからなる通信部３２が設けられている。このＩＣチップはメモリも含んでおり、このメモリに上記のタグ番号や後述の付加情報が格納保持され、また、このメモリからタグ番号や付加情報が読み出されて送信することができる。
【００２６】
また、電子タグ３０の上辺側には、クリップ３３が設けられ、このクリップ３３でシャツなどのポケットの上辺を挟むことにより、この電子タグ３０を衣服の胸元部分に取り付けることができる。この具体例での通信部３２は、外部からの所定の信号を受信すると、ＩＣチップが動作してメモリのタグ番号や、必要に応じて、付加情報を送信するものであり、これを図１におけるタグセンサ２ａ〜２ｃが受信することになる。
【００２７】
図２（ｄ）〜（ｆ）に示す具体例は、基本的には図２（ａ）〜（ｃ）に示した具体例と同様であるが、電子タグ３０の上部にケース３４が設けられ、その中にバッテリ３５や無線通信回路３６が収納され、また、このケース３４の表面にシャッタボタン３７やメッセージ表示部３８が設けられている。また、クリップ３３がこのケース３４の裏面側に設けられている。
【００２８】
シャッタボタン３７を操作すると、その操作出力が無線通信回路３６で形成され、通信部３２のアンテナから送信されてシャッタ受信機３（図１）で受信される。
【００２９】
以上のように、撮影される側が撮影を制御し、撮影される側の意思に合った撮影を行なうことができる。
【００３０】
なお、図２（ａ）〜（ｃ）で示すシャッタボタンを有しない電子タグ３０を用いる場合には、図１における写真撮影制御用ＰＣ５ａは、後述するように、タグセンサ２ａで電子タグ３０からの信号を受信した後（あるいは、この電子タグ３０を有する利用者（入場者）が記念写真のための所定の位置に立って後）、所定の時間が経過すると、デジタルカメラ１ａを動作させて撮影を行なわせる。
【００３１】
また、ライドアトラクションやパレード，劇場アトラクションの場合も、写真撮影制御用のＰＣ５ｂ，５ｃが電子タグ３０に対して同様の動作を行なう。
また、電子タグ３０の送受信範囲は近距離であり、電子タグ３０がタグセンサ２ａ〜２ｃからこの範囲内に近づくと、タグセンサ２ａ〜２ｃがこの電子タグ３０を検知することができる。このための通信方式としては、独自の方式を用いるようにしてもよいが、携帯電話での通信方式やブルートゥースなどの近距離無線通信方式を利用するようにしてもよい。
さらに、この実施形態では、かかる電子タグ３０を用いるものとして説明するが、それ以外でも、専用の端末や携帯電話に入場時ＩＤを入力し、これを用いるようにしてもよい。
【００３２】
写真撮影制御用のＰＣＶ５ａ〜５ｃはテーマパーク内のＬＡＮ（Local Area Network）などのネットワーク６を介して、データ管理サーバ７で管理される大容量ストレージ（データベース）８に接続されており、デジタルカメラ１ａ〜１ｃで撮影された写真映像が必要な情報とともにこの大容量ストレージ８に期限付きで格納保存される。この大容量ストレージ８に保存されている写真映像は、データ読出し用ＰＣ１０の適宜の操作のもとに、読み出されてＣＤ−ＲやＤＶＤ１１，フラッシュメモリカード１２などに記録し、入場者に提供することができるし、また、プリンタ１３で印刷することにより、写真として入場者に提供することができる。
【００３３】
さらに、このネットワーク６をゲートウェイ２７を介してインターネットなどの外部通信網２４と接続されており、この外部通信網２４を介して外部から写真を要求することができる。即ち、このテーマパークを退出するときに、これまで撮影した写真映像を、上記のように、ＣＤ−Ｒ，ＤＶＤ１１やフラッシュカード１２、あるいはプリンタ１３でプリントアウトして受け取ることができるが、自分のＰＣ２５などにダウンロードすることもできる。また、会員制が取られている場合、この会員に、その来歴情報として、過去の写真を提供することができるようにするために、過去にこのテーマパークを利用したときにサービスした写真映像がデータ長期保存ストリーマ９にも保存される。
【００３４】
そこで、外部通信網２４に接続されたユーザのＰＣ２５などから所定の写真の要求があると、保存期限内であれば、大容量ストレージ８に格納されている所定の写真映像を外部通信網２４を介して要求したユーザのＰＣ２５などに送ることができる。また、会員が、来歴情報として、過去にサービスを受けた写真を要求した場合には、データ長期保存ストリーマ９から該当する写真映像を読み出して送る。さらに、テーマパークの退出者の要求に応じてインターネットサーバ２６にユーザのホームページを開設し、そこに必要な写真映像をダウンロードするようにすることができる。この場合でも、ユーザが要求する写真映像がこの大容量ストレージ８から読み出され、このホームページに送り込まれることになる。
【００３５】
また、このインターネットサーバ２６には、会員毎にその来歴情報を格納したホームページが解説されている。この来歴情報としては、会員のこのテーマパークの過去の利用日や利用回数，テーマパーク内の利用したアトラクションやレストランなどの設備，会員が利用していないアトラクション，お薦めのアトラクションなどの案内情報などである。
【００３６】
テーマパークの入口には、カードリーダ１５や電子タグ貸出し機構を有する電子タグ発券ターミナル１４が設置されており、入場者に電子タグ３０の貸出しができるようにしている。また、このテーマパークの出口には、電子タグ回収のためのタグセンサ２２や写真引換券などのレシートを発券するレシート印刷機構２３などを有するチェックアウトターミナル２１が設置されており、電子タグ３０の回収とレシートの発券を行なうようにしている。
【００３７】
また、このテーマパーク内の複数の個所には、タグセンサ１８を備えた位置検索ターミナル１７が配置されており、場内での自分の位置の確認や迷子になった同伴者の位置検索ができるようにしている。さらに、このテーマパーク内の複数の個所には、タグセンサ２０などを備えた予約ターミナル１９が設置されており、その設置位置からレストランなどの混み具合を知ることができ、また、予約などを行なうことができるようにしている。
【００３８】
次に、以上の構成をなすこの実施形態の使用形態について説明する。
【００３９】
この実施形態では、図１における顧客（ユーザ）のＰＣ２５など外部から入場券の予約などができるようになっている。図３はその動作の一具体例を示すフローチャートである。
【００４０】
同図において、例えば、顧客がそのＰＣ２５で所定の操作をすると、図４に示すメニュー画面Ｈ１が表示される。ここでは、○○パークというテーマパークに申し込むものとし、メニュー画面Ｈ１では、「Ａ 事前予約」，「Ｂ 会員サービス」及び「Ｃ 写真を見る」のいずれかのメニュー項目を選択できるものとする。そこで、まず、入場を予約するメニュー項目「Ａ 事前予約」を選択した場合について、ＰＣ２５に表示される画面を示す図５を用いて説明する。
【００４１】
図３及び図５において、図４に示すメニュー画面Ｈ１でメニュー項目「Ａ 事前予約」を選択すると（ステップ１００）、ＰＣ２５の表示画面上に入力画面Ｈ２が表示され、その指示に従って、サービスを受ける日（入場日）や人数（ステップ１０１），電子タグの受け取り方法（ステップ１０２），○○パークまでの交通手段（ステップ１０３）の入力を行ない、また、顧客がこのテーマパークの会員ならば、会員番号を入力し、会員でなければ、会員になるか否かの指示をする（ステップ１０４，１０５）。電子タグの受け取り方法としては、郵送して貰うか、当日○○パークの入口で受け取るかを選択できる。
【００４２】
以上の入力が終了して「次」ボタン３９を選択操作すると、入力画面Ｈ２で入力した交通手段に応じて、テーマパークまでのコースを示す地図情報がテーマパークからインターネットなどでサービスされ、これをＰＣ２５の表示画面上で確認することができる。具体的には、顧客が会員である場合には、この顧客が来場するときの選択した交通手段に合わせた出発地からテーマパークまでの地図情報と所要時間や交通機関の料金などが表示され、このように表示された地図情報などをこの会員に送付することを知らせるメッセージも表示される。また、車やバスを選んだ非会員の場合には、この非会員の住所を問い合わせ、電車を選んだ非会員の場合には、その最寄りの駅を問い合わせ、それらを出発地としてこの非会員が選択した交通手段に合わせたテーマパークまでの地図情報やその所要時間，交通機関の料金などを、会員の場合と同様に、知らせ、それを送付する旨のメッセージも表示させる。
【００４３】
なお、かかる情報は図１に図示しないデータベースに格納されている。地図情報としては、詳細な道路地図や交通機関の地図などの情報であり、これら地図上での主要な各場所からこのテーマパークまでの所要時間や交通料金などの情報も格納されている。顧客の出発位置が分かると、この出発地からテーマパークまでの経路が分かる地図情報がこのデータベースから読み取られ、また、この経路を指定した交通手段で利用したときの所要時間や料金が計算され、地図情報とともに外部通信網２４を介してＰＣ２５に送られる。
【００４４】
このような画面を確認後、この画面での「次」ボタンを選択操作すると、ＰＣ２５の表示画面上に入力画面Ｈ３が表示され、後述のように○○パークで撮られた写真の受取方法の選択画面Ｈ３が表示され、ＰＣ２５などへのダウンロード，持ち帰り，郵送のいずれかを選択できる（ステップ１０６）。このダウンロードは、この申込者が○○パークから退出した後に、大容量ストレージ８から該当する写真映像が読み出されて行なわれ、また、持ち帰りや郵送の場合には、写真画像が記録されたＣＤ−ＲやＤＶＤ−Ｒ，フラッシュカードとして渡されるか、プリントアウトした写真として渡されるかも選択できる。これらは図１でのデータ書き出しＰＣ１０が大容量ストレージ８から読み出すことによって作成される。
【００４５】
選択画面Ｈ３で以上の選択が終了し、「次」ボタン３９を選択操作すると、予め入場券を購入するための入力画面Ｈ４が表示される（ステップ１０７）。当日購入する場合には、「次」ボタン３９を選択操作すればよいが、前もって購入する場合には、この入力画面Ｈ４において、入場日と入場人員とを入力し（ステップ１０８）、「次」ボタン３９を選択操作する。そして、入力画面Ｈ４で「次」ボタン３９が選択操作されると、料金の支払い方法を選択できる選択画面Ｈ５が表示される（ステップ１０９）。この選択画面Ｈ５では、選択画面Ｈ３での選択（ステップ１０６）によって決まる写真の金額と入力画面Ｈ４で申し込んだ入場券の料金（ステップ１０８）との合計の金額が表示され、その合計料金の支払い方法として、「振り込み」，「カード」，写真の「受け取りの際」のいずれかを選択することができる。
【００４６】
この選択をして「次」ボタン３９を選択操作すると、選択画面Ｈ３で選択した写真の受け取り方法に応じて、送り先などの入力画面に移る（ステップ１１０）。なお、選択画面Ｈ３での写真の受け取り選択（ステップ１０６）を行なわない場合には、選択画面５が表示されるステップ１０９まででメニュー項目「Ａ 事前予約」（図４）の動作が終了し、さらに、入力画面Ｈ４で入場券の購入（ステップ１０８）をしない場合には、この入力画面Ｈ４で「次」ボタン３９を選択操作することにより、メニュー項目「Ａ 事前予約」(図４）の動作が終了する。これにより、図４に示すメニュー画面の表示に戻る。
【００４７】
以上のように、利用者が自動車心サービスの提供を受ける前に撮影される写真の受け取り方法を決めておくことにより、遊園地やテーマパークなどから退場するときに、短時間に利用者が望む方法で写真情報を提供することができる。
【００４８】
選択画面Ｈ３で、いま、項目「ダウンロード」を選択したとすると、ＰＣ２５の表示画面に電子メールのアドレスやパスワードを入力するための入力画面Ｈ６が表示され（ステップ１１１）、項目「お持ち帰り」を選択したとすると、ＰＣ２５の表示画面に申込者の名前やパスワードを入力するための入力画面Ｈ７が表示され（ステップ１１２）、項目「郵便」を選択したとすると、ＰＣ２５の表示画面に申込者の名前や住所を入力するための入力画面Ｈ８が表示される（ステップ１１２）。そして、以上の入力が終了してＰＣ２５の決定操作を行なうと、図４に示すメニュー画面の表示に戻る。
【００４９】
次に、メニュー画面Ｈ１でメニュー項目「Ｂ 会員サービス」を選択した場合について、ＰＣ２５に表示される画面を示す図６を用いて説明する。このメニュー項目は、特に会員へのサービスとして、○○パークに入場して既に写真を撮ったアトラクションとそうでないアトラクションとを紹介し、次にこの○○パークに入場するときの見学の計画の資料を提供するものである。○○パークでは、その会員についての情報が保存されている。
【００５０】
図３及び図６において、図４に示すメニュー画面Ｈ１でメニュー項目「Ｂ 会員サービス」を選択すると（ステップ１００）、ＰＣ２５の表示画面上に入力画面Ｈ９が表示され、その指示に従って、会員番号とパスワードを入力する（ステップ１２０）。そして、その入力情報を確認後、「次」ボタン４０を選択操作すると、インターネット・サーバ２６でのこの会員に解説されているホームページの来歴情報が読み出され、これを表わす紹介画面Ｈ１０が表示される（ステップ１２１）。従って、この紹介画面Ｈ１０では、この会員がこれまで参加して写真を撮ったアトラクションがそのとき撮った写真や簡単な説明文とともに、この会員の来歴情報として表示され、また、これまで参加していないお薦めのアトラクションなどの紹介なども行なわれる。そして、この確認後、ＰＣ２５で終了操作を行なうと、図４に示すメニュー画面Ｈ１に戻る。
【００５１】
以上のように、撮影された写真映像に基づいて利用者の好みなども把握することが可能であり、利用者に適した情報をタイムリに提供することを行なうことができる。
【００５２】
なお、以上の予約手続きにより、入力画面Ｈ２で選択した受け取り方法で電子タグ３０を受け取ることができるのであるが、この受け取った電子タグ３０では、画面Ｈ２〜Ｈ８で入力した各情報が付加情報として、読み取り可能に、通信部３２（図２）のＩＣチップのメモリに格納されている。
【００５３】
次に、メニュー画面Ｈ１でメニュー項目「Ｃ 写真を見る」を選択した場合について、ＰＣ２５に表示される画面を示す図７を用いて説明する。○○パークで撮った写真は期限付きでデータ長期保存ストリーマ９（図１）に保存されており、これをこの「Ｃ 写真を見る」を選択することによって外部のＰＣ２５から見ることができ、また、入手できるようにしたものである。
【００５４】
図３及び図７において、図４に示すメニュー画面Ｈ１でメニュー項目「Ｃ 写真を見る」を選択すると（ステップ１００）、ＰＣ２５の表示画面上に入力画面Ｈ１１が表示され、その指示に従って、タグ番号か、会員であれば、会員番号を入力し、さらに、パスワードを入力すると（ステップ１３０）、前回○○パークで撮った写真を表示した画面Ｈ１２が表示される（ステップ１３１）。このタグ番号は、前回○○パークで使用した電子タグ３０の番号であり、パスワードは図５に示した画面Ｈ６，Ｈ７などで入力したものである。かかるパスワードは、このようなことにも用いる場合もあるので、電話番号などの思い出し易いものを使用した方がよい。
【００５５】
画面Ｈ１２では、入場日とともに、そのときの撮られた写真が表示され、また、追加メニューとして、これら写真の入手サービスについても案内される。ここでは、写真の受け取り方法として、項目「ダウンロード」，「ホームページ作成サービス」及び「郵送サービス」のいずれかを選択できるようにしている（ステップ１３２）。
【００５６】
いま、項目「ダウンロード」を選択したとすると、この場合はサービスは無料とし、この旨の説明と保存先のＰＣドライブを指定して欲しい旨の指示とが表示される画面Ｈ１３が表示され（ステップ１３３）、項目「ホームページ作成サービス」を選択したときには、今後のサービスとして年間の費用や振り込み，カードといった支払い方法を選択できる画面Ｈ１４が表示され（ステップ１３４）、項目「郵送サービス」を選択したときには、どのような形態で写真映像を送るか、また、その料金支払い方法法を選択する画面Ｈ１５が表示される（ステップ１３５）。かかる画面Ｈ１３〜Ｈ１５で指示される操作の後、「次」ボタン４２を操作すると、図４に示したメニュー画面Ｈ１に戻り、写真のサービスを受けることができるようになる。
【００５７】
なお、上記の項目「ホームページ作成サービス」を受ける場合には、そのサービス期間も、１週間，１ヶ月というように、限られ、ホームページを開いたとしても、その決められた期限が経過すると、それが閉じられてサービスが受けられなくなるようにしてもよいし、また、１回このホームページをアクセスして写真を読み出すと、このホームページは閉じられてサービスが受けられないようにしてもよい。これは、かかるサービスが無制限に受けられないようにするものであり、所定期間ホームページをアクセスしない場合には、このサービスを受ける権利を放棄したものとするものである。
【００５８】
以上のように、期間やアクセス回数などでもって撮影された写真映像のデータ管理サーバでの管理を取り止めるようにしたため、データ管理サーバの容量を一定のものとすることができ、利用年数や利用者数によって新たな設備を整えることを低減することができる。
【００５９】
図８は図１における電子タグ発券ターミナル１４の一具体例を示す外観斜視図であって、４３はタッチパネル付きの表示画面、４４はタグ貸出口、４５はカード挿入口、４６は現金挿入口である。
【００６０】
かかる電子タグ発券ターミナル１４は、テーマパークの入口に近い位置やそれ以外の適当な位置に配置されており、テーマパークの入場者が写真撮影などのサービスを受けたい場合には、この電子タグ発券ターミナル１４で電子タグ３０を借りることができるようにしている。この電子タグ発券ターミナル１４は、画面操作が可能なタッチ付き表示画面４３とサービスを受けるための料金を支払うためのカード挿入口４５や現金挿入口４６と電子タグ３０を受けるためのタグ貸出口４４とが設けられている。
【００６１】
次に、この電子タグ発券ターミナル１４の動作を示す図９のフローチャートとこの動作に応じて電子タグ発券ターミナル１４の表示画面４３に表示される画面を示す図１０とを用いて、この電子タグ発券ターミナル１４の発券動作について説明する。
【００６２】
図８〜図１０において、まず、この表示画面４３を手で触れると、初期画面Ｈ１６が表示され、その指示に従って、同伴者も含めた人数（ステップ１４０）や、電子タグ３０の申込者がこのテーマパークの会員ならば、その会員番号を入力し、会員でなければ、会員になるか否かの選択をすることができる（ステップ１４１，１４２）。しかる後、「次」ボタン４７を選択操作すると、○○パークで撮られた写真の受け取り方法の選択画面Ｈ１７が表示され、ＰＣ２５などへのダウンロード，持ち帰り，郵送のいずれかを選択できる（ステップ１４３）。これは、図５の選択画面Ｈ３を用いて行なう図３でのステップ１０６の場合と同様である。
【００６３】
選択画面Ｈ１７での選択操作が終わって「次」ボタン４７を選択操作すると、このときの合計料金を表示し、その支払い方法を選択する選択画面Ｈ１８が表示され、そのいずれかを選択して「次」ボタン４７を操作した後、その選択した支払い方法に従って、カードならば、それをカード挿入口４５から挿入してカードリーダ１５（図１）で読み取らせ、現金ならば、それを現金挿入口４６から挿入する（ステップ１４４）。そこで、ステップ１４３で選択した写真の受け取り方法に応じて（選択画面Ｈ１７）、「ダウンロード」を選択した場合には、メールアドレスやパスワードを入力するための入力画面Ｈ１９が表示され（ステップ１４６）、「お持ち帰り」を選択した場合には、名前やパスワードを入力するための入力画面Ｈ２０が表示され（ステップ１４７）、「郵送」を選択した場合には、名前や住所を入力するための入力画面Ｈ２１が表示される（ステップ１４８）。
【００６４】
これら画面での入力操作が終了し、図示しないボタン（この場合、「次」ボタン４７を表示していてもよい）を操作すると、タグ貸出し部１６（図１）が動作して、タグ貸出口４４から初期画面Ｈ１６で入力した人数分の電子タグ３０が排出される。同伴者全てに電子タグ３０が行き渡ることになる。また、表示画面４３は初期画面Ｈ１６の表示前の状態に戻る。
【００６５】
このようにして、テーマパークの場内でも、簡単な操作でもって電子タグ３０を借りることができる。なお、初期画面Ｈ１６で入力した人数分の電子タグ３０が同伴者のものとして貸し付けられるが、これら電子タグ３０のタグ番号は（図３１で後述する同伴者番号を除いて）全て同じである。このようにすることにより、同時に来場する家族やグループ単位で写真映像を管理することが可能となり、撮影された写真映像を速やかに提供することが可能であるし、また、後述する迷子を探す場合、非常に便利である。
【００６６】
なお、かかる操作によって得られる電子タグ３０では、図１０に示す画面Ｈ１６〜Ｈ２１で入力された各情報が付加情報として、これに付与されるタグ番号とともに、通信部３２（図２）のＩＣチップでのメモリに格納保存される。
【００６７】
図１１は図８〜図１０で説明したようにして借り受けた電子タグ３０を用いて記念写真を撮る方法を示す図である。同図（ａ）は記念写真を撮っている情景を、また、同図（ｂ）は同図（ａ）での各部の配置関係を夫々示したものであって、４８は背景となる看板、４９ａ，４９ｂは記念写真を撮る入場者であり、前出図面に対応するものには同一符号を付けている。
【００６８】
図１１（ａ），（ｂ）において、記念写真を撮る場所に、ここでは、看板４８が設けられており、これに対向した位置にデジタルカメラ１ａが設置されている。そして、例えば、この看板４８に近接してタグセンサ２ａが設けられている。入場者４９ａ，４９ｂが所有する電子タグ３０は伝送距離が短いものであるが、タグセンサ２ａの受信可能な距離も短いものとする。従って、電子タグ３０を持っている入場者４９ａ，４９ｂがこのタグセンサ２ａに近づかないと、従って、看板４８に近づかないと、タグセンサ２ａは電子タグ３０を検知することができない。なお、シャッタ受信機３（図３）も、図示しないが、看板４８に近接して設けられているが、電子タグ３０からのシャッタ信号（図２（ｂ））が受信可能な範囲であれば、任意の場所に設置することができる。また、かかるタグセンサ２ａやシャッタ受信機３と写真撮影制御用ＰＣ（図１）との間の通信は、有線でも、無線でもよい。
【００６９】
次に、図１２に示すフローチャートを用いてこの実施形態の写真撮影動作について説明する。なお、図１２（ａ）は電子タグ３０が図２（ａ）〜（ｃ）で示したようなシャッタボタンを有しないものであるときのものであり、図１２（ｂ）は電子タグ３０が図２（ｄ）〜（ｆ）で示したようなシャッタボタンを有するものであるときのものである。
【００７０】
まず、電子タグ３０がシャッタボタンを有しない場合には（これは、このテーマパークでは、貸し出される電子タグ３０が全てこのようなタグであって、図１に示したシャッタ受信機３は設置されていないことを意味している）、図１１及び図１２（ａ）において、写真撮影制御用ＰＣ５ａ（図１）が、タグセンサ２ａが電子タグ３０を検知するまで、待機した状態にある（ステップ１５０）。入場者４９ａ，４９ｂが記念写真を撮るために、看板４８の前に立つと、タグセンサ２ａが、これら入場者４９ａ，４９ｂの電子タグ３０からのタグ番号を受信することにより、その電子タグ３０を検出し、その検出出力を写真撮影制御用ＰＣ５ａに送る。これにより、この写真撮影制御用ＰＣ５ａは看板４８の前に記念撮影する入場者が立ったことを検知し、図示しない信号処理装置やスピーカを駆動させて「写真を撮ります」といったようなアナウンスを行なう（ステップ１５１）。そして、これとともに、記念撮影する入場者４９ａ，４９ｂが所望とするポーズをするまでの時間を与えるために、音声を発するなどしてカウントダウンを開始し（ステップ１５２）、カウントダウンの終了とともに、写真撮影制御用ＰＣ５ａがデジタルカメラ１ａを動作させて撮影を行なうものであるが（ステップ１５６）、その間に記念撮影する入場者４９ａ，４９ｂが動いて電子タグ３０がタグセンサ２ａで検知できない状態になった場合には、その旨をアナウンスし（ステップ１５３）、このようなカウントダウン中に他の入場者が入り込んできて、その電子タグ３０が発するタグ番号がタグセンサ２ａで検知された場合には（ステップ１５４）、それを注意するアナウンスが行なわれて（ステップ１５５）、再びカウントダウンをやり直す（ステップ１５２）。この場合、同時に記念写真を撮る入場者４９ａ，４９ｂは、通常、同伴者であり、同伴者の電子タグ３０から出力されるタグ番号は同じであるから、他人がこの記念撮影場所に入り込んでくると、他のタグ番号がタグセンサ２ａが検知されることになり、これにより、他人が入り込んできたことが判定できる。
【００７１】
なお、他人同士で一緒に記念写真を撮るような場合もあるが、この場合、カウントダウンを開始する（ステップ１５２）前にそれらが看板４８の前に立てば、タグセンサ２ａはこれらのタグ番号を写真撮影制御用ＰＣ５ａに送り、その撮影を可能とする。但し、この場合には、撮影された他人同士の夫々の入場者が撮影したものとして、大容量ストレージ８（図１）に写真情報が登録されることになる。即ち、後述するように、同じ写真映像に対して複数の異なるタグ番号が登録されることになる。
【００７２】
このようにして、写真撮影が終わると（ステップ１５６）、撮影のお礼と次の撮影を勧めるアナウンスがなされて（ステップ１５７）、ステップ１５０に戻り、次の記念撮影が要求されるまで待機する。撮影された写真映像は、タグ番号や日付（撮影日）などの必要な情報とともに、データ管理サーバ７（図１）の管理のもとに大容量ストレージ８に保存される。
【００７３】
このようにして、カメラを持参しなくとも、同伴者全員がまとまって記念写真を撮ることができる。
【００７４】
次に、電子タグ３０が、図２（ｄ）〜（ｆ）に示したように、シャッタボタンを有する場合には（これは、このテーマパークでは、貸し出される電子タグ３０が全てこのようなタグであって、図１に示したシャッタ受信機３が上記のように設置されていることを意味している）、図１２（ｂ）に示すように動作する。このときの動作は、シャッタボタン３７（図２（ｄ））の操作によってデジタルカメラ１ａが写真撮影する（ステップ１６２）ものであって、それ以外の動作は図１２（ａ）に示した動作と同様である。即ち、ステップ１６０，１６１と図１２（ａ）のステップ１５０，１５１の動作と同様であり、ステップ１６３〜１６７は図１２（ａ）のステップ１５３〜１５７の動作と同様である。
【００７５】
図１３はライドアトラクションに参加して写真撮影する情景を示す図であって、ここでは、入場者５１は乗り物５０に乗ってアトラクションを楽しむものであるが、この乗り物５０のコースに沿って所定の個所にデジタルカメラ１ｂ（図１）が配置されており、入場者５１がデジタルカメラ１ｂの視野内の所定の位置に来ると、これを検知してデジタルカメラ１ｂが作動し、記念写真を撮るものである。ここで、入場者５１がデジタルカメラ１ｂの視野内の所定の位置に来たことを検知する方法として、ゲート式とシート式とがあり、これを図１４によって説明する。
【００７６】
なお、ここでは、かかるランドアトラクション会場に入場する場合、写真を撮るか否かの選択をするものであり、写真を撮ることを選択した入場者の電子タグ３０のみが登録され（具体的には、タグ番号を登録する）、登録された電子タグ３０を有する入場者のみが撮影される。
【００７７】
図１４（ａ）はゲート式による検知方法を示すものであって、図１４（ａ）の（イ），（ロ）に示すように、乗り物５０のコースでの写真を撮る場所にゲート５２が配置され、これにタグセンサ２ｂが設けられている。かかるゲート５２は、乗り物５０の通路の両側に互いに対向して設けられる。
【００７８】
そこで、コースに沿って移動する乗り物５０に登録された電子タグ３０を有する入場者（乗客）５１ａ，５１ｂが乗車しているものとして、まず、乗客５１ａがこれらのゲート５２間を通過すると、これらゲート５２のいずれかのタグセンサ２ｂがこの乗客５１ａの電子タグ３０を検知し、これによって写真撮影制御用ＰＣ５ｂ（図１）がデジタルカメラ１ｂを作動させ、このデジタルカメラ１ｂによってこの乗客５１ａが撮影される。それに続いて、図１４（ａ）の（ハ）に示すように、乗客５１ｂがこれらのゲート５２間を通過すると、同様にして、これらゲート５２のいずれかのタグセンサ２ｂがこの乗客５１ｂの電子タグ３０を検知し、これによって写真撮影制御用ＰＣ５ｂがデジタルカメラ１ｂを作動させ、このデジタルカメラ１ｂによってこの乗客５１ｂが撮影される。これがゲート式の検知方法である。
【００７９】
図１４（ｂ）はシート式の検知方法を示すものであって、図１４（ｂ）の（イ），（ロ）に示すように、乗り物５０の座席（シート）毎にタグセンサ２ｂが設けられているものであって、登録された電子タグ３０を有する乗客５１がこの乗り物５０のどの座席に座っているのかを、まず、検知するものである。例えば、図１４（ｂ）の（ロ）の場合、乗客５１ａ，５１ｂが登録された電子タグ３０を有しているものとし、乗り物５０が左方向に移動するものとすると、夫々の電子タグ３０を検出するタグセンサ２ｂにより、乗客５１ａは乗り物５０の前列左側に座っており、乗客５１ｂは同じく後列右側の座席に座っているものと検出されることになる。勿論、座席番号をもって乗客５１ａ，５１ｂの乗り物５０での位置を表わすようにしてもよい。
【００８０】
そして、かかる乗客の乗り物５０での位置情報とともに、この乗り物５０のコースに沿って配置される車両位置検出装置４（図１）によってこの乗り物５０の位置も常時検出され、これらの位置情報をもとに、写真撮影制御用ＰＣ５ｂ（図１）は登録した電子タグ３０を有する乗客の位置を常時監視している。
【００８１】
そこで、図１４（ｃ）の（イ）に示すように、写真撮影制御用ＰＣ５ｂは、以上の位置情報をもとに、乗客５１ａがデジタルカメラ１ｂの視野内の特定の位置に来たことを検知すると、デジタルカメラ１ｂを作動させて乗客５１ａを撮影し、次に、図１４（ｃ）の（ロ）に示すように、乗客５１ｂがデジタルカメラ１ｂの視野内の特定の位置に来たことを検知すると、デジタルカメラ１ｂを作動させて乗客５１ｂを撮影する。
【００８２】
これら乗客５１ａ，５１ｂの位置の検出方法としては、その一例として、車両位置検出装置４でもって乗り物５０の先頭位置を常時検出し、この検出した先頭位置に乗り物５０でのこの先頭位置からこれら乗客５１ａ，５１ｂまでの進行方向の距離を減算するようにすればよい。
【００８３】
図１５（ａ）はこのゲート方式を用いた場合の動作手順を示すフローチャートであって、まず、ライドアトラクション会場に入場する場合には、写真撮影を希望するか否かを決め（ステップ１７０）、写真撮影を希望しない場合には、そのまま入場して乗り物に乗る（ステップ１７５）。写真撮影を希望する場合には、アトラクション会場の入場ゲートで電子タグ３０を提示し、そのタグ番号を登録してから（ステップ１７１）、乗り物に乗り込む（ステップ１７２）。その後、その乗り物はスタートし、コースに沿って移動するが、図１４（ａ）で説明したように、その移動中、センサゲート５２を通過する毎に電子タグ３０が登録されていることが認識されて電子タグ３０の位置が認識され（ステップ１７３）、その位置から所定の時間を経たタイミング（このタイミングに登録された電子タグ３０を有する乗客５１がデジタルカメラ１ｂの視野内の所定の位置にある）でデジタルカメラ１ｂによる撮影が行なわれる（ステップ１７４）。
【００８４】
このようにして、ライドアトラクションに参加している乗客が、参加した状態で、写真撮影がなされることになる。
【００８５】
図１５（ｂ）はこのシート方式を用いた場合の動作手順を示すフローチャートであって、ステップ１８０〜１８２及びステップ１８５は図１５（ａ）におけるステップ１７０〜１７２及びステップ１７５と同じである。
【００８６】
そこで、乗り物５０に乗り込むと（ステップ１８２）、図１４（ｂ）で説明したように、登録した電子タグ３０を有する乗客５１の乗り物５０での位置関係が検出され、写真撮影制御用ＰＣ５ｂ（図１）に保持される（ステップ１８３）。その後、その乗り物５０はスタートし、コースに沿って移動するが、図１４（ｃ）で説明したように、車両位置検出装置４（図１）でこの乗り物５０の先頭位置が常時検出され、これとともに、この乗り物５０でのこの乗客５１の位置も算出される。そして、この乗客５１の位置がデジタルカメラ１ｂの視野内の所定の位置に達したことが検出されると、そのタイミングでデジタルカメラ１ｂによる写真撮影が行なわれる（ステップ１８４）。
【００８７】
このようにして、この場合も、ライドアトラクションに参加している乗客が、参加した状態で、写真撮影がなされることになる。
【００８８】
図１６はパレードの見物しているときの写真を撮る情景を示す図であって、パレードとともにデジタルカメラ１ｂを搭載した台車５４が移動し（この台車５４は、パレードの中に含まれるようにしてもよいし、また、パレードの後から付いていくようにしてもよい）、この台車５４が写真を希望する入場者５３に近づくと、デジタルカメラ１ｂが作動して入場者５３の写真を自動的に撮るものである。この場合、パレードの見物中の状態を写真撮影してもらいたい場合には、図１３〜図１５で説明したライドアトラクションの場合と同様、例えば、電子タグ３０を取得したときなどに所有する電子タグ３０のタグ番号を予め登録しておく。
【００８９】
図１７（ａ），（ｂ）はその写真撮影の方法を示す図であって、台車５４はパレードとともに移動し、これとともに、これに搭載されているデジタルカメラ１ｂは左右に向きを変え、その視野を左右に振る。一方、見物客（入場者）はその沿道に沿ってパレードを待つのであるが、このパレードが行なわれる沿道の両側に所定の間隔をもってタグセンサ２ｂが配置されている。これらタグセンサ２ｂの間隔は、登録した電子タグ３０を有する見物客がこの沿道に待機すれば、その電子タグ３０をいずれかのタグセンサ１ｂが必ず検出する（この電子タグ３０が発信するタグ番号を読み取る）程度の間隔に設定されている。また、沿道には、図示しないが、この台車５４の位置を検出する車両検出装置４（図１）が設置されており、これによって台車５４の位置が常時検出されている。
【００９０】
写真撮影制御用ＰＣ５ｂ（図１）は、この車両検出装置４の検出出力から常時台車５４の位置（従って、ビデオカメラ１ｂの位置）を監視しており、これとともに、登録された電子タグ３０をこれに最も近いタグセンサ２ｂが検出することにより、この電子タグ３０を所有する見物客５３の位置も把握している。また、写真撮影制御用ＰＣ５ｂは、上記のように、デジタルカメラ１ｂの向きを左右に振らせているが、これによって変化するデジタルカメラ１の視野の向き（さらに具体的には、カメラレンズ（図示せず）の光軸の方向）も監視している。
【００９１】
そこで、登録されている電子タグ３０を検出するこのタグセンサ２ｂとビデオカメラ１ｂとの間の距離が予め設定されている値以下となるように、ビデオカメラ１ｂがこのタグセンサ２ｂに近づくと、これを写真撮影制御用ＰＣ５ｂが検知し、ビデオカメラ１ｂに対するこのタグセンサ２ｂの方向を求める。この場合、各タグセンサ２ｂの位置は予め分かっているので、かかる方向は容易に求めることができる。以上のような処理が行なわれると、写真撮影制御用ＰＣ５ｂはデジタルカメラ１ｂを制御してデジタルカメラ１ｂの向きをこのタグセンサ２ｂの方向に設定し、この設定の終了とともに、デジタルカメラ１ｂを動作させて写真撮影を行なわせる。これにより、このタグセンサ２ｂの近くで見物している見物客５３が写真撮影されることになる。この撮影された写真映像は、この電子タグ３０のタグ番号や撮影日などの必要な情報とともに、大容量ストレージ８（図１）に格納される。撮影が終わると、ディジタルカメラ１ｂは再びその向きを左右に振る動作を始める。
【００９２】
なお、ここでは、撮影するときには、デジタルカメラ１ｂはその向きを所望のタグセンサ２ｂの方向に固定するものとしたが、常時向きを左右に振り、その向きが所望とするタグセンサ２ｂの方向と一致したとき、撮影するようにしてもよいし、また、通常、デジタルカメラ１ｂの向きは台車の進行方向に対して固定され、撮影するときにその向きを所望とするタグセンサ２ｂの方向に一致させるようにしてもよい。
【００９３】
図１８は以上の動作を示すフローチャートであって、見物客がパレード会場の沿道でパレードを待っており（ステップ１９０）、そのうちにパレードが目の前を通過していくが（ステップ１９１）、このとき、登録された電子タグ３０を認識したタグセンサ２ｂがあれば（ステップ１９２）、台車５４に搭載されたデジタルカメラ１ｂがこのタグセンサ２ｂに所定距離内に近づくと、このデジタルカメラ１ｂによってこの電子タグ３０を所有する見物客の写真撮影が行なわれる（ステップ１９３）。
【００９４】
このようにして、パレード側から写真撮影が行なわれるので、パレード側からの入場者の撮影写真が得られることになる。
【００９５】
図１９はテーマパーク内の劇場アトラクション会場での写真撮影の情景を示す図であって、ここでは、スクリーン５６に映写される映画などを観賞するものとする。勿論、劇などが行なわれるものであってもよい。かかる劇場アトラクション会場では、各座席５７に観客（入場者）５５が坐り、舞台のスクリーン５６に投影される映画などの観劇する。この実施形態では、舞台側に写真撮影制御用ＰＣ５ｃ（図１）で制御されるデジタルカメラ１ｃが設置されており、写真撮影を希望する希望する観客の写真を所定のタイミングで撮影するものである。写真撮影を希望する場合には、例えば、劇場アトラクション会場の入口ゲートでその電子タグ３０を提示し、そのタグ番号を登録するようにする。
【００９６】
図２０は、図１９に示す劇場アトラクション会場において、デジタルカメラ１と観客５５との関係を示す図である。
【００９７】
いま、座席が前からＡ列，Ｂ列の２列とすると、図２０（ａ）に示すように、座席Ａ列の観客用（即ち、Ａ列用）のデジタルカメラ１ｃDと座席Ｂ列の観客用（即ち、Ｂ列用）のデジタルカメラ１ｃUとが設けられており、さらにまた、Ｂ列用のデジタルカメラ１ｃUとしては、図２０（ｂ）に示すように、Ｂ列の右半分を撮影するものと左半分を撮影するものとが１台ずつ舞台の両側にデジタルカメラ１ｃUL，１ｃURとして配置されており、Ａ列用のデジタルカメラ１ｃDとしても、図２０（ｃ）に示すように、Ａ列の右半分を撮影するものと左半分を撮影するものとが１台ずつ舞台の両側にデジタルカメラ１ｃDL，１ｃDRとして配置されている。
【００９８】
そして、図２０(ｂ),(ｃ)に示すように、デジタルカメラ１ｃDL,１ｃULは夫々Ａ列，Ｂ列の左半分の撮影を担い、また、デジタルカメラ１ｃDR,１ｃURは夫々Ａ列，Ｂ列の右半分の撮影を担うようにしている。ここでは、図示するように、各列４個ずつ座席５７があるから、各デジタルカメラ１ｃUL，１ｃUR,１ｃDL，１ｃDRは２座席ずつ撮影を担うことになる。
【００９９】
また、図２０（ｂ），（ｃ）に示すように、隣り合う２つの座席５７毎に、かつこれら２つの座席５７の中間に、タグセンサ２ｃが設けられており、図２０（ａ）に示すように、観客５５が座席５７に座ると、この観客５５が所有する電子タグ３０がこの座席５７に設けられているタグセンサ２ｃの受信可能な範囲５８内に入ることになる。この電子タグ３０からのタグ番号がこのタグセンサ２ｃで受信されることになる。
【０１００】
そこで、図２０（ｂ）において、いま、「Ｂ列の２」の座席５７に座った観客５５ａが登録された電子タグ３０を有しているものとすると、「Ｂ列の１」の座席５７と「Ｂ列の２」の座席５７との間に設けられたタグセンサ２ｃがこの電子タグ３０からのタグ番号を受信する。写真撮影制御用ＰＣ５ｃ(図１)は、この受信出力を取り込むことにより、写真撮影を希望した観客がこのタグセンサ２ｃの近くの座席５７に座っていることを認識し、この観客５５ａの写真撮影はデジタルカメラ１ｃULが行なうように決定する。そして、劇場アトラクションが行なわれて予め決められたタイミングとなると、このデジタルカメラ１ｃULを動作させて観客５５ａの写真撮影を行なわせる。
【０１０１】
図２０（ｃ）に示す「Ａ列の１」の座席５７に座って観劇する観客５５ｂの場合も同様であり、デジタルカメラ１ｃDLがこの観客５５ｂの写真撮影を行なうことになる。
【０１０２】
図２０で示す例の場合には、デジタルカメラ１ｃUL，１ｃUR,１ｃDL，１ｃDRの向きやピント位置などが固定されているが、デジタルカメラ１ｃUL，１ｃURは夫々Ｂ列の座席に座った観客にピントが合わされており、同様に、デジタルカメラ１ｃDL，１ｃDRは夫々Ａ列の座席に座った観客にピントが合わされている。
【０１０３】
しかし、テーマパークの劇場アトラクション会場でも、通常多くの座席が設けられ、多くの観客が同時に観劇を楽しむことができるようにしている。このような場合、劇場アトラクション会場内の座席５７が置かれている領域を前後に２等分し、さらに、左右に２等分して全体として４等分し、夫々の部分領域をデジタルカメラ１ｃUL，１ｃUR,１ｃDL，１ｃDRは撮影を請け負うようにする。即ち、デジタルカメラ１ｃULは座席領域の後半の左半分の部分領域の撮影を行ない、デジタルカメラ１ｃURは座席領域の後半の右半分の部分領域の撮影を行ない、デジタルカメラ１ｃDLは座席領域の前半の左半分の部分領域の撮影を行ない、デジタルカメラ１ｃDRは座席領域の前半の右半分の部分領域の撮影を行なうようにする。このような場合、写真撮影する座席に応じてデジタルカメラの向きを変えてこの座席に向くようにするとともに（これは、登録した電子タグ３０を検知するタグセンサ２ｃの位置が予め分かっているので、その方向にデジタルカメラ１ｃを向かせることができる）、どこの座席に座っている観客も同じ大きさの写真が得られるようにするために、ズーム制御も行なわれる（この場合も、登録した電子タグ３０を検知するタグセンサ２ｃの位置が予め分かっているので、このタグセンサ２ｃとデジタルカメラ１ｃとの間の距離からズーム倍率が設定される）。
【０１０４】
勿論、１台のデジタルカメラ１ｃを用いて全ての座席５７の観客５５を写真撮影するようにしてもよいし、また、５台以上のデジタルカメラ１ｃを用いて同様の分担した写真撮影をするようにしてもよい。要するに、観劇中の写真撮影を希望する観客５５の位置を電子タグ３０とタグセンサ２ｃとで検知し、この検知結果に基づいて、デジタルカメラ１ｃにより、この観客５５の写真撮影を行なうものである。
【０１０５】
図２１は以上の動作を示すフローチャートであって、まず、劇場アトラクションを楽しむ場合には、観劇中に写真撮影を希望するか否かを決め（ステップ２００）、写真撮影を希望しない場合には、そのまま入場して所望の座席に着き、観劇を楽しむ（ステップ２０５）。写真撮影を希望する場合には、劇場アトラクション会場の入口ゲートで電子タグ３０を提示し、そのタグ番号を登録してから（ステップ２０１）、所望の座席に着く。その後、アトラクションがスタートし（ステップ２０２）、この観客の電子タグ３０がこれに最も近いタグセンサ２ｃで検知されて写真撮影制御用ＰＣ５ｃにその位置が認識されて保持される（ステップ２０３）。そして、所定のタイミングとなると、このタグセンサ２ｃに対して決められたデジタルカメラ１ｃを動作させ、このデジタルカメラ１ｃによる撮影が行なわれる（ステップ２０４）。
【０１０６】
このようにして、劇場アトラクション会場内の観客が、観劇を楽しんでいる状態で、舞台側から写真撮影がなされることになる。
【０１０７】
図２２は図１における位置検索ターミナル１７の一具体例を示す外観斜視図であって、１８は図１に示すタグセンサ、５９はタッチパネル付きの表示画面、６０はキーボードである。
【０１０８】
同図において、この具体例は、電子タグ３０のテーマパーク内での現在位置を検索をするための装置であって、タッチパネル付きの表示画面５９とキーボード６０とともに、タグセンサ１８が設けられている。かかる位置検索ターミナル１７はテーマパーク内の到る所に配置されている。タグセンサ１８に電子タグ３０を近づけると、この電子タグ３０のタグ番号を読み取り、表示画面５９にテーマパーク内の地図を表示するとともに、この地図上に読み取ったタグ番号の電子タグ３０の位置を表示する。従って、同じタグ番号の電子タグ３０を保有する入場者が異なる位置検索ターミナル１７にその電子タグ３０を近づけた場合には、夫々の位置検索ターミナル１７の表示画面５９にこれら同じタグ番号の電子タグ３０全ての位置が表示されることになる。
【０１０９】
次に、図２３に示すフローチャートと図２４に示す表示画面５９に表示される画面とを用いてこの位置検索ターミナル１７の操作手順について説明する。
【０１１０】
図２２〜図２４において、通常、表示画面５９は何も表示していない状態にあり、あるいは、位置検索ができる旨のメッセージを表示した状態にあり、この表示画面５９に、例えば、手を触れると、最初の手順を示す初期画面Ｈ２２が表示される（ステップ２１０）。そこで、その初期画面Ｈ２２の指示に従って所持している電子タグ３０をタグセンサ１８に近づけると、これによって電子タグ３０のタグ番号が読み取られ、この位置検索ターミナル１７に登録される（ステップ２１１）。そして、表示画面５９に地図画面Ｈ２３が表示され、これにこの電子タグ３０、従って、これを所持する入場者の現在位置が表示され（ステップ２１２）、その表示状態が続く。これとともに、この現在位置の情報、即ち、この位置検索ターミナル１７の位置情報がネットワーク６（図１）を介して他の位置検索ターミナル１７に送信される。また、メッセージも他の位置検索ターミナル１７に送りたい場合には、地図画面Ｈ２３に表示される「メッセージ」ボタン６１をタッチ操作することにより（ステップ２１３）、メッセージ入力画面Ｈ２４が表示され（ステップ２１４）、キーボード６０を操作してこのメッセージ入力画面Ｈ２４での決められた枠６２の中にメッセージを入力することができる。しかる後、このメッセージ入力画面Ｈ２４に表示される「送る」ボタン６３をタッチ操作することにより、この入力されたメッセージが、同様にして、他の位置検索ターミナル１７に送信される（ステップ２１５）。
【０１１１】
地図画面Ｈ２３の表示状態で「メッセージ」ボタン６１をタッチ操作しないと（ステップ２１３）、この地図画面Ｈ２３が表示されたままの状態が続き、キーボード６０の所定の操作により、地図画面Ｈ２３を消してもとの状態に戻すことができる。
【０１１２】
そこで、この位置検索ターミナル１７に他の位置検索ターミナル１７から電子タグ３０の位置情報が送られてきているとすると、この電子タグ３０と同じタグ番号の電子タグ３０をタグセンサ１８に近づけたときには（ステップ２１１）、これによって表示画面５９に表示される地図画面Ｈ２３には、自分自身の位置も表示されるが、他の位置検索ターミナル１７から位置情報が送られてきた他の同伴者の電子タグ３０の位置も同時に表示されることになる。図２４に示す地図画面Ｈ２３は、位置２が自分自身の位置を表わすものとして、位置１，３でもって同じタグ番号の電子タグ３０をもつ同伴者の位置も表わしている場合を示している。勿論、他の位置検索ターミナル１７の表示画面５９でも、同じ地図画面Ｈ２３が表示されていることになる。
【０１１３】
このようにして、位置検索ターミナル１７では、自分自身の現在位置を確認することができるとともに、同伴者の現在位置も確認することができ、迷子になった場合に、同伴者にその位置を知らせることができるとともに、同伴者の位置も知ることができる。そして、メッセージも送ることができ、このメッセージは、例えば、この地図画面Ｈ２３の上部などの地図を邪魔しない場所に表示させることができ、これによって互いに連絡し合うこともできる。
【０１１４】
また、地図画面Ｈ２３には、この位置検索ターミナル１７の利用者の近辺のアトラクション会場の場所なども表示させることができ、これにより、現在位置に近いアトラクション会場も直ぐ分かることになって、次の行動をスムーズに取ることができる。
【０１１５】
図２５は図１におけるレストラン等の予約ターミナル１９の一具体例を示す外観斜視図であって、２０は図１に示すタグセンサ、６４はタッチパネル付きの表示画面、６５はキーボードである。
【０１１６】
同図において、この具体例は、テーマパーク内でのレストラン等を予約できるようにした装置であって、タッチパネル付きの表示画面６４とキーボード６５とタグセンサ２０とが設けられている。かかる予約ターミナル１９はテーマパーク内の到る所に配置されている。タグセンサ２０に電子タグ３０を近づけると、この電子タグ３０のタグ番号を読み取り、表示画面６４にテーマパーク内のレストランの位置を示す地図とともに、これらレストランの混み具合が表示され、所望のレストランを選択して予約することができる。この場合、勿論、この地図上にこの予約する入場者の現在位置も表示し、予約したレストランへの道順を知らせるようにすることもできる。
【０１１７】
次に、図２６に示すフローチャートと図２７に示す表示画面６４に表示される画面とを用いて、レストランの予約の場合のこの予約ターミナル１９の操作手順について説明する。
【０１１８】
図２２〜図２７において、通常、表示画面６４は何も表示していない状態にあり、あるいは、レストラン等の予約ができる旨のメッセージを表示した状態にあり、この表示画面６４に、例えば、手を触れると、最初の手順を示す初期画面Ｈ２５が表示される（ステップ２２０）。そこで、その初期画面Ｈ２５の指示に従って所持している電子タグ３０をタグセンサ２０に近づけると、これによって電子タグ３０のタグ番号が読み取られ、この予約ターミナル１９に登録される（ステップ２２１）。そして、表示画面６４にレストランの案内予約画面Ｈ２６が表示され、これにテーマパーク内でのレストランの名称や位置を示す地図や、それらの混み具合などが示され、これらの情報を参考にしていずれかのレストランを選択し、その予約入力をすることができる（ステップ２２２）。この場合の人数やレストラン名の入力はキーボード６５を操作して行なうこともできるが、案内予約画面Ｈ２６にテンキーを表示し、これをタッチ操作することにより、予約人数を入力し、また、予約レストランの指定については、表示される地図上の予約したいレストランの位置を指先でタッチするようにしてもよい。このようにして入力された情報は案内予約画面Ｈ２６の所定の位置に表示され、それを確認することができる。入力をキャンセルする場合には、キーボード６５でそれに対応する操作をすればよい。
【０１１９】
なお、図２７に示す案内予約画面Ｈ２６では、「次」ボタン６６と「キャンセル」ボタン６７とが表示されるように示しているが、タグセンサ２０が電子タグ３０を検知した後に最初に表示される案内予約画面Ｈ２６では、「次」ボタン６６のみが表示されて「キャンセル」ボタン６７は表示されない。
【０１２０】
以上のように、予約するレストランが決まると、案内予約画面Ｈ２６の「次」ボタン６６をタッチ操作することにより、予約時間入力画面Ｈ２７が表示される。この予約時間入力画面Ｈ２７では、予約するレストランの予約可能時間が表示され（ステップ２２３）、予約する場合には、この案内される予約可能時間ないで予約時間を入力し、「予約する」ボタン６８をタッチ操作する（ステップ２２４）。これにより、予約内容の確認画面Ｈ２８が所定時間表示され（ステップ２２６）、表示画面６４がもとの状態に戻る。これとともに、予約内容が、タグセンサ２０で入力された電子タグ３０のタグ番号とともに、ネットワーク６（図１）を介して予約したレストランに送信される。
【０１２１】
また、予約時間入力画面Ｈ２７での予約可能時間を見て希望の時間に食事ができず、他のレストランを探したい場合には、「戻る」ボタン６９をタッチ操作する（ステップ２２４）。これにより、「次」ボタン６６と「キャンセル」ボタン６７とを含む案内予約画面Ｈ２６が再び表示され、他のレストランを利用する場合には、ステップ２２２からの操作を行なうが、レストランの予約をしない場合には、「キャンセル」ボタン６７をタッチ操作する（ステップ２２５）。これにより、表示画面６４はもとの状態に戻る。
【０１２２】
なお、レストランで食事の予約をしたいために、予約ターミナル１９を使用するものであるから、ここでは、この「キャンセル」ボタン６７は、予約時間入力画面Ｈ２７で「戻る」ボタン６９をタッチ操作したときに表示される案内予約画面Ｈ２６に表示されるようにするが、これに限るものではなく、案内予約画面Ｈ２６に常に表示されるようにしてもよい。
【０１２３】
また、予約時間入力画面Ｈ２７で全ての予約情報の入力が済んで後、再び予約したレストランの位置を確認したい場合もある。このような場合を可能とするために、予約時間入力画面Ｈ２７の「戻る」ボタン６９をタッチ操作して案内予約画面Ｈ２６を表示させ、地図を見ることができるようにするが、このとき、新たに予約の入力操作を行なったり（これにより、前に入力された予約情報が新たな予約情報によって書き替えられる）、「キャンセル」ボタン６７が操作されない限り、入力された予約情報は予約ターミナル１９に保持されており、予約レストランの場所の確認後、「次」ボタン６６の操作、次いで、予約時間入力画面Ｈ２８での「予約する」ボタン６８の操作により、予約を確定することができるようにしてもよい。
【０１２４】
また、この予約ターミナル１９では、ライドアトラクションや劇場アトラクションなどといったレストラン以外の予約も同様な操作でもって可能とすることができる。このためには、図２６でのステップ２２１で電子タグ３０をタグセンサ２０に近づけると、アトラクションやレストランなどの予約する対象を選択するための選択画面が表示画面６４（図２５）に表示され、そこで所望とする対象をタッチ選択すると、ステップ２２２に移って図２７に示すような案内予約画面Ｈ２６が表示されるようにする。
【０１２５】
以上のように、かかる予約ターミナル１９をテーマパーク内の適宜の位置に配置することにより、直接レストランに行くことなく、希望するレストランの予約をすることができ、時間を有効に使用することができる。
【０１２６】
図２８は図１におけるチェックアウトターミナル２１の一具体例を示す外観斜視図であって、７０はタッチパネル付きの表示画面、７１はタグ返却口、７２は引換券排出口、７３は料金支払い口である。
【０１２７】
同図において、かかるチェックアウトターミナル２１はテーマパークの出口付近に設けられており、これで電子タグ３０が回収される。このチェックアウトターミナル２１には、電子タグ３０を挿入するためのタグ返却口７１と、回収する電子タグ３０の確認や写真の受け取り方法を確認するためのタッチパネル付きの表示画面７０と、写真の持ち帰りのときに発行する引換券を排出する引換券排出口７２と、料金支払い口７３とが設けられている。
【０１２８】
次に、図２９に示すフローチャートと図３０に示す表示画面７０に表示される画面とを用いて、電子タグ３０の返却のためのこのチェックアウトターミナル２１の操作手順について説明する。
【０１２９】
図２８〜図３０において、通常、表示画面７０は何も表示していない状態にあり、この表示画面７０に、例えば、手を触れると、最初の手順を示す初期画面Ｈ２９が表示される（ステップ２３０）。そこで、その初期画面Ｈ２９の指示に従って所持している電子タグ３０をタグ返却口７１に挿入すると（ステップ２３１）、これによって電子タグ３０の通信部３２（図２）のメモリに格納されているタグ番号や付加情報が読み取られ、このタグ番号をＩＤ（Identification）情報として該当する写真映像のサンプルが大容量ストレージ８（図１）から読み取られ、表示画面７０で確認画面Ｈ３０の中に表示される。
【０１３０】
かかる付加情報としては、上記のように、この電子タグ３０を使用した日（即ち、来場日）、図３で示した外部からの「Ａ 事前予約」のステップ１１１で入力画面Ｈ６（図５）に入力した電子メールのアドレス、同じくステップ１１２で入力画面Ｈ７（図５）に入力した名前、同じくステップ１１３で入力画面Ｈ８（図５）に入力した名前、同じくステップ１０５で入力画面Ｈ２（図５）で入力した会員番号や、テーマパークに入場するときの電子タグ発券ターミナル１４（図８）の図９に示すフローチャートによる操作により、ステップ１４２で初期画面Ｈ１６（図１０）に入力した会員番号、ステップ１４６で入力画面Ｈ１９（図１０）に入力した電子メールのアドレス、ステップ１４７で入力画面Ｈ２０（図１０）に入力した名前、ステップ１４８で入力画面Ｈ２１（図１０）に入力した名前などである。図３０に示す確認画面Ｈ３０では、名前，会員番号，電子メールのアドレスの少なくとも１つが表示され、これにより、返却者は返却する電子タグ３０が間違いなく自分のものであったことを確認することができる。
【０１３１】
また、この確認画面Ｈ３０では、この電子タグ３０の返却者がテーマパーク内での写真のサービスを受ける場合には、大容量ストレージ８（図１）から読み取られた写真のサンプルも表示され、その確認ができるようにしている。そして、これら写真の受け取り方法として、図３で示した外部からの「Ａ 事前予約」のステップ１０６で入力画面Ｈ３（図５）で予約した方法や、テーマパークに入場するときの電子タグ発券ターミナル１４（図８）の図９に示すフローチャートによる操作により、選択画面Ｈ１７（図１０）で予約した方法が確認できる情報も表示される。この写真受け取りの確認情報としては、例えば、写真をＣＤ−Ｒで持ち帰ることを予約している場合、確認画面Ｈ３０で図示するように、
「「ＣＤ−Ｒのお持ち帰り」ですね。２０分以降に窓口でお受け取りになれます。引換券を持ってお越し下さい。」
と案内され、また、例えば、電子メールのアドレスを届け出ていてダウンロードを予約している場合には、
「「インターネットからダウンロード」ですね。引換券に記入してあるインターネット・ホームページをご覧下さい。」
と案内され、また、例えば、ＣＤ−Ｒの郵送を予約している場合には、
「「ＣＤ−Ｒを郵送」ですね。宛先は下記の住所で間違えありませんか。」
と案内され、その訂正もできるようにしている。
【０１３２】
以上のような情報の確認後、確認画面Ｈ３０の図示しないボタンを操作すると、レシート印刷部２３（図１）で、例えば、図３１に示すような写真の引換券が印刷されて、引換券排出口７２から排出される（ステップ２３３）。なお、ここでは図示していないが、図３で示した外部からの「Ａ 事前予約」で支払いの方法を、選択画面Ｈ５（図５）で「受け取りの際」を選択していた場合には、図３０に示す確認画面Ｈ３０でこの旨を確認する情報とその料金とが表示され、この料金を料金支払い口７３にカードまたは現金を挿入することにより、これが確認されて写真の引換券が排出される（ステップ２３３）。
【０１３３】
そして、写真の持ち帰りの場合には（ステップ２３４）、この引換券を窓口に出すことにより、写真を受け取ることができるし（ステップ２３５）、また、引換券を受け取った後、ダウンロードや郵送に変更したい場合には、この引換券を窓口に出してその旨を申し込むことにより（ステップ２３４）、それが可能となる（ステップ２３６）。勿論、窓口で写真を受け取るとともに、同伴者が希望するならば、さらに、ダウンロードや郵送の申込みもできる。
【０１３４】
ここで、退場者が、このチェックアウトターミナル２１に気が付かないで、テーマパークの出口ゲート（図示せず）を通ろうとすると、この退場者は電子タグ３０を所有しているので、この出口ゲートに設けられているタグセンサがこれを検知してこの出力ゲートを閉じ、チェックアウトターミナル２１で電子タグ３０を返却するようにアナウンスが行なわれる。
【０１３５】
図３２は図１の大容量ストレージ８に格納される写真情報の一具体例を示す図であって、同図（ａ）はデジタルカメラ１ａ〜１ｃ毎にファイルしたものであり、同図（ｂ）は電子タグ３０毎にファイルしたものである。
【０１３６】
同図において、各デジタルカメラ１ａ〜１ｃには、夫々個別のカメラ番号Ｃが振り分けられており、撮影された写真には、夫々毎に写真番号Ｓがその撮影順に付与される。ここでは、カメラ番号Ｃは「Ｃ−３桁の数字」からなるものとし、また、写真番号Ｓは「Ｓ−８桁の日付−５桁の連番」からなっているものとする。例えば、写真番号「Ｓ−２０００−０６−２３−０１２３４」の写真は、２０００年６月２３日に１２３４番目に撮影されたものということになる。さらに、タグ番号Ｔは「Ｔ−８桁の日付−５桁の連番−１桁の同伴者番号」からなるものとする。例えば、タグ番号「Ｔ−２０００−０６−２３−０８７６５−１」の電子タグ３０は、２０００年６月２３日に８７６５番目に入場した組（１人または複数人）であって、最後の桁の同伴者番号「１」はこの組の最初（１番目）の入場者ということになる。図３で示した外部からの「Ａ 事前予約」のステップ１０１で入力画面Ｈ２（図５）で予約した人数の複数人の組で入場した場合には、これら組をなす複数の入場者に貸し付けられる電子タグ３０のタグ番号Ｔは、８桁の日付から５桁の連番までは同じ値であって、１桁の同伴者番号が「１」，「２」，「３」，……と異なることになる。
【０１３７】
図１において、例えば、デジタルカメラ１ａで写真撮影が行なわれると、撮影した写真映像にこのデジタルカメラ１ａのカメラ番号Ｃとタグ番号Ｔとが付加されてデータ管理サーバ７に送られる。このデータ管理サーバ７は、受け取った情報に写真番号Ｓを生成して付加し、カメラ番号Ｃ毎に区分けしてファイル化し、大容量ストレージ８に格納する。ここで、カメラ番号Ｃ毎のファイルは、ファイル間に隙間がないように、連続的に格納され、新たに写真情報が送られてくると、該当するファイルに割り込ませて格納される。
【０１３８】
図３２（ａ）に示すファイルはカメラ番号ＣがＣ−１２３のデジタルカメラで撮影した写真のファイルを示すものであり、同じカメラ番号Ｃのファイルでは、写真番号Ｓが連番の順に配列されている。また、１つの写真番号Ｓに対して複数の異なるタグ番号Ｔが含まれる場合もあるが、これは同じ写真に異なるタグ番号の電子タグ３０を有する複数の入場者が撮影されていることを意味している。例えば、写真番号「Ｓ−２０００−０６−２３−０１２３４」に２つのタグ番号「Ｔ−２０００−０６−２３−０９８７６−１」と「Ｔ−２０００−０６−２３−０８７６５−１」が含まれていることになる。これは、例えば、図１３〜図１５で説明したライドアトラクションなどにおいては、いずれも登録されたタグ番号「Ｔ−２０００−０６−２３−０９８７６−１」の電子タグ３０を持つ乗客５１とタグ番号「Ｔ−２０００−０６−２３−０８７６５−１」の電子タグ３０を持つ乗客５１とが乗り物５０の同じ席に並んで乗っている場合、これらの電子タグ３０が同時に検出されて、デジタルカメラ１ｂはこれら乗客５１を同時に撮影することになるが、このようにして得られた写真に対してこれら２つのタグ番号が付随することになる。この場合、デジタルカメラ１ｂで撮影された写真映像は、これら２つのタグ番号が付加されてデータ管理サーバ７に送られ、これらタグ番号に同じ写真番号が付されることになるのである。
【０１３９】
データ管理サーバ７は、また、図３２（ａ）に示したカメラ番号Ｃ別のファイルから、図３２（ｂ）に示すようなタグ番号Ｓ別のファイルを作成し、これをアクセスできるようにする。タグ番号をもとにかかるファイルをアクセスすることにより、上記のように、来場者に写真を提供できるのである。この場合のアクセス番号は、タグ番号Ｔの上記連番までを用い、同伴者番号は用いない。
【０１４０】
なお、会員の写真情報は、さらに、会員別（会員番号別）にデータ長期保存ストリーマ９に保存され、会員番号からアクセスできるようにしている。
【０１４１】
以上のように、この実施形態では、電子タグ３０によって個々の入場者を判別し、写真を希望する入場者には、場内での撮影設備によって写真撮影し、その写真をサービスできるものである。
【０１４２】
なお、上記実施形態では、電子タグ全てをその利用者が退場するときに回収するものとしたが、利用者が会員の場合には、電子タグを回収しないようにしてもよい。その場合のタグ番号は、利用者が入会した日にちとし、脱会の申込みがあるまで入会時に発行した電子タグを来場の都度利用して貰い、出口ゲートに設けられたタグセンサは、この当日の日付けをタグ番号とする電子タグのみを検出して警告を行なうようにすればよい。
【０１４３】
また、会員のタグ番号としては、同じ日に複数の人が入会することもあり得るので、入会した日にちの後に、また、同伴者があれば、この日にちと同伴者番号との間に、受け付け順の連番を設けるようにし、この連番を含めたタグ番号でもって会員を特定するようにすればよい。これにより、同じ日に複数の人が入会しても、これら会員を特定することができる。
【０１４４】
さらに、入会の申込み時には、自動写真サービスの申込み欄を設けて、上記の方法で写真映像の受け取り方法や支払い方法，同伴者数などを指定するようにし、入場時などで利用者からのこれらに関する申入れがない限り、入会時と同じ条件でサービスを提供するようにすることもできる。このように、一度会員となる申込みを済ませることにより、来場の都度同じサービスを自動的に受けることができ、その都度煩わしい手続を行なう必要がない。
【０１４５】
【発明の効果】
以上説明したように、本発明によると、写真撮影を希望する場合には、電子タグのタグ番号を登録すればよいので、顧客としては、場所やアトラクションなどのうち自分の希望するものでのみ写真撮影をして貰えることになるし、撮影して貰った写真は全て提供されることになり、写真撮影操作の手間が省けて、しかも、電子タグに予め写真の受け取り方法を指定する情報が書き込んであるので、その受け取りも円滑に行なわれることになり、手間の掛からない写真サービスを受けることができる。
【０１４６】
また、本発明によると、アトラクション会場やレストランなどの利用設備に直接で向かなくとも、間違いなく希望する利用設備の利用予約をすることができ、利用時間も含めて予約ができるから、それを利用するまでの時間を有効に使うことができる。
【０１４７】
さらに、本発明によると、顧客は、自分の端末から娯楽施設の過去の利用に関する来歴情報を取得することができて、この娯楽施設を再度利用するときの参考にすることができる。
【０１４８】
さらにまた、本発明によると、自分の端末から娯楽施設の利用予約の申込みをすることができるとともに、これを利用するに際しての交通機関に関する情報も提供されることになり、改めてかかる情報を調べるなどといった手間が省けることになる。
【図面の簡単な説明】
【図１】本発明による娯楽施設などでのサービスシステムの一実施形態を示すブロック構成図である。
【図２】図１に示す実施形態で利用者が用いる電子タグの具体例を示す図である。
【図３】外部から娯楽施設にアクセスする際の操作手順を示すフローチャートである。
【図４】図３のステップ１００で外部ＰＣに表示されるメニュー画面を示す図である。
【図５】図３のステップ１０１〜１１３で表わされる「事前予約」のための操作手順で外部ＰＣに表示される操作画面を示す図である。
【図６】図３のステップ１２０，１２１で表わされる「会員サービス」のための操作手順で外部ＰＣに表示される操作画面を示す図である。
【図７】図３のステップ１３０〜１３５で表わされる「写真を見る」のための操作手順で外部ＰＣに表示される操作画面を示す図である。
【図８】図１における電子タグ発券ターミナルの一具体例を示す外観斜視図である。
【図９】図８に示す電子タグ発券ターミナルの操作手順を示すフローチャートである。
【図１０】図９に示した操作手順で図８における表示画面に表示される操作画面を示す図である。
【図１１】娯楽施設での図１に示した実施形態を用いた記念撮影の情景を摸式的に示す図である。
【図１２】図１１，図１２に示した記念撮影での図１に示した実施形態の動作を示すフローチャートである。
【図１３】娯楽施設での図１に示した実施形態を用いたライドアトラクションでの撮影情景を摸式的に示す図である。
【図１４】図１３に示した写真撮影のための乗客の撮影タイミングを説明する図である。
【図１５】図１３，図１４に示した写真撮影での図１に示した実施形態の動作を示すフローチャートである。
【図１６】娯楽施設での図１に示した実施形態を用いたパレードでの撮影情景を摸式的に示す図である。
【図１７】図１６に示した写真撮影のための撮影タイミングを説明する図である。
【図１８】図１６，図１７に示した写真撮影での図１に示した実施形態の動作を示すフローチャートである。
【図１９】娯楽施設での図１に示した実施形態を用いた劇場アトラクション会場での撮影情景を摸式的に示す図である。
【図２０】図１９に示す劇場アトラクションでの写真撮影を示す図である。
【図２１】図１９，図２０に示した写真撮影での図１に示した実施形態の動作を示すフローチャートである。
【図２２】図１における位置検索ターミナルの一具体例を示す外観斜視図である。
【図２３】図２２に示す位置検索ターミナルの操作手順を示すフローチャートである。
【図２４】図２３に示した操作手順で図２２における表示画面に表示される操作画面を示す図である。
【図２５】図１におけるレストラン等の予約ターミナルの一具体例を示す外観斜視図である。
【図２６】図２５に示す予約ターミナルの操作手順を示すフローチャートである。
【図２７】図２６に示した操作手順で図２５における表示画面に表示される操作画面を示す図である。
【図２８】図１におけるチェックアウトターミナルの一具体例を示す外観斜視図である。
【図２９】図２８に示すチェックアウトターミナルの操作手順を示すフローチャートである。
【図３０】図２９に示した操作手順で図２８における表示画面に表示される操作画面を示す図である。
【図３１】図２９でのステップ２３３で引き渡される写真の引換券の一具体例を示す図である。
【図３２】図１における大容量ストレージに格納される写真情報のファイルの形成の具体例を示す図である。
【符号の説明】
１ａ〜１ｃ  デジタルカメラ
２ａ〜２ｃ  タグセンサ
３  シャッタ受信機
４  車両位置検出装置
８  大容量ストレージ
９  データ長期保存ストリーマ
１１  ＣＤ−ＲやＤＶＤ−Ｒ
１２  フラッシュメモリ
１３  プリンタ
１４  電子タグ発券ターミナル
１５  カードリーダ
１６  電子タグ貸出し部
２０  位置検索ターミナル
１８  タグセンサ
１９  レストラン等予約ターミナル
２０  タグセンサ
２１  チェックアウトターミナル
２２  タグセンサ
３０  電子タグ
３２  通信部
３７  シャッタボタン４３  表示画面
４４  電子タグ貸出し口
５９  表示画面
６０  キーボード
６４，７０  表示画面
７１  タグ返却口
７２  引換券排出口
７３  料金支払い口
【図１】
0004659184.tif 000002
【図２】
0004659184.tif 000003
【図３】
0004659184.tif 000004
【図４】
0004659184.tif 000005
【図５】
0004659184.tif 000006
【図６】
0004659184.tif 000007
【図７】
0004659184.tif 000008
【図８】
0004659184.tif 000009
【図９】
0004659184.tif 000010
【図１０】
0004659184.tif 000011
【図１１】
0004659184.tif 000012
【図１２】
0004659184.tif 000013
【図１３】
0004659184.tif 000014
【図１４】
0004659184.tif 000015
【図１５】
0004659184.tif 000016
【図１６】
0004659184.tif 000017
【図１７】
0004659184.tif 000018
【図１８】
0004659184.tif 000019
【図１９】
0004659184.tif 000020
【図２０】
0004659184.tif 000021
【図２１】
0004659184.tif 000022
【図２２】
0004659184.tif 000023
【図２３】
0004659184.tif 000024
【図２４】
0004659184.tif 000025
【図２５】
0004659184.tif 000026
【図２６】
0004659184.tif 000027
【図２７】
0004659184.tif 000028
【図２８】
0004659184.tif 000029
【図２９】
0004659184.tif 000030
【図３０】
0004659184.tif 000031
【図３１】
0004659184.tif 000032
【図３２】
0004659184.tif 000033